(57)【特許請求の範囲】
【請求項１】
中央通信所に設置され通信状態を監視して通信障害に関するすべての情報を収集する、ひとつの中央監視装置に対して、通信の障害情報を表示するために電力所ごとに設けられる障害監視システムであって、
映像信号のみを伝送する伝送手段を映像伝送手段とし、
前記中央監視装置から当該電力所に関する障害情報を、セキュリティが確保された通信手段を介して受信し、障害情報を映像表示するための映像信号を送信する監視手段と、
前記監視手段に前記映像伝送手段を介して接続され、前記障害情報を映像表示するための映像信号を前記監視手段から取得して、前記映像信号を複数に分配する分配手段と、
前記監視手段の近くに設置され、前記分配手段から分配された前記映像信号を表示する監視手段用表示装置と、
を備え、
前記分配手段は、セキュリティが確保された通信手段を介して接続された外部の遠隔地の端末に前記映像信号を分配し、
前記監視手段用表示装置および前記端末は、前記監視手段から送信された前記映像信号のうち、最新のものだけを表示する、
ことを特徴とする障害監視システム。
【請求項２】
前記分配手段に前記映像伝送手段を介して接続され、前記分配手段を公衆通信網に通信可能に接続する接続手段を備える、ことを特徴とする請求項１に記載の障害監視システム。
【発明の詳細な説明】
【技術分野】
【０００１】
この発明は、通信の障害情報を表示する障害監視システムに関する。
【背景技術】
【０００２】
例えば、電力会社における電力保安通信設備の通信障害に関する情報は、中央通信所のサーバにすべて集められ、その障害情報は、障害に関連する各電力所・事業所の統合ＮＭＳ（Ｎｅｔｗｏｒｋ  Ｍａｎａｇｅｍｅｎｔ  Ｓｙｓｔｅｍ）端末（統合ＮＭＳＰＣ）に送信される。この統合ＮＭＳＰＣは、障害情報を表示する統合ＮＭＳモニタを備え、各電力所の通信担当者などは、この統合ＮＭＳモニタを見ることで、通信障害の発生、復旧などを把握することが可能となっている。さらに、事業所総合ＯＡ端末からでも、統合ＮＭＳＰＣのディスプレイ表示を閲覧することが可能となっている。
【０００３】
また、このような、通信の障害などの情報を知得する技術として、ネットワークを介してサーバに警報データを送信するとともに、サーバまたは保守端末に監視データを送信する被監視装置が知られている（例えば、特許文献１参照。）。
【先行技術文献】
【特許文献】
【０００４】
【特許文献１】特開２００６−８５６２３号公報
【発明の概要】
【発明が解決しようとする課題】
【０００５】
ところで、上記のような統合ＮＭＳモニタに表示される障害情報は、その事業所以外では閲覧することができない。このため、深夜や休日などに通信障害が発生した場合には、その事業所にいなければ障害情報を閲覧することができず、担当者などは、電話等で障害の内容を断片的に聞き取れるだけで、正確な情報を把握することができない。このため、保守の出動者などに対して、正確な情報を伝えて、適正な措置を指示することが困難な場合があった。
【０００６】
また、特許文献１に記載された技術のように、社内のＬＡＮ（Ｌｏｃａｌ  Ａｒｅａ  Ｎｅｔｗｏｒｋ）などをインターネット等の公衆ネットワークに接続する場合、ファイアウォールを設けることで、外部からの不正アクセスを防止し、セキュリティを確保する必要がある。しかしながら、ファイアウォールは、機器が高額であるうえに、障害情報を閲覧する端末を事前に特定しなければならず、運用には高度な知識が必要で、多大な費用と運用、管理労力とを要する。
【０００７】
そこで本発明は、容易にセキュリティが確保され、しかも、任意の場所から障害情報を知得することが可能な障害監視システムを提供することを目的とする。
【課題を解決するための手段】
【０００８】
上記目的を達成するために請求項１に記載の発明は、中央通信所に設置され通信状態を監視して通信障害に関するすべての情報を収集する、ひとつの中央監視装置に対して、通信の障害情報を表示するために電力所ごとに設けられる障害監視システムであって、映像信号のみを伝送する伝送手段を映像伝送手段とし、前記中央監視装置から当該電力所に関する障害情報を、セキュリティが確保された通信手段を介して受信し、障害情報を映像表示するための映像信号を送信する監視手段と、前記監視手段に前記映像伝送手段を介して接続され、前記障害情報を映像表示するための映像信号を前記監視手段から取得して、前記映像信号を複数に分配する分配手段と、前記監視手段の近くに設置され、前記分配手段から分配された前記映像信号を表示する監視手段用表示装置と、を備え、前記分配手段は、セキュリティが確保された通信手段を介して接続された外部の遠隔地の端末に前記映像信号を分配し、前記監視手段用表示装置および前記端末は、前記監視手段から送信された前記映像信号のうち、最新のものだけを表示する、ことを特徴とする障害監視システムである。
【０００９】
この発明によれば、任意の場所の表示端末を分配手段に接続した状態で、通信障害が発生すると、中央通信所に設置された中央監視装置からの障害情報が監視手段で受信され、監視手段から障害情報を映像表示するための映像信号が映像伝送手段を介して分配手段で取得される。そして、映像信号が分配手段から、セキュリティが確保された通信手段を介して接続された外部の遠隔地の表示端末に分配される。また、監視手段用表示装置と表示端末には、監視手段から送信された前記映像信号のうち、最新のものだけが表示される。
【００１０】
請求項２に記載の発明は、請求項１に記載の障害監視システムにおいて、前記分配手段に前記映像伝送手段を介して接続され、前記分配手段を公衆通信網に通信可能に接続する接続手段を備える、ことを特徴とする。
【発明の効果】
【００１１】
請求項１に記載の発明によれば、映像信号が分配手段から複数に分配されるため、複数の任意の場所で表示端末を分配手段に接続することで、各表示端末に障害情報を表示することができる。つまり、複数の任意の場所で障害情報を知得することができる。また、監視手段用表示装置と各表示端末には、現時点で中央監視装置および監視手段から送信された障害情報のみが表示され、過去の障害情報は表示されないため、中央監視装置および監視手段から送信された最新の障害情報が、そのままリアルタイムに表示される。この結果、深夜や休日などに通信障害が発生し、担当者などが事業所にいない場合であっても、担当者などが外部の遠隔地の端末で障害情報を知得することができ、迅速かつ適正な措置を行うことが可能となる。
【００１２】
しかも、分配手段は、映像信号のみを伝送する映像伝送手段を介して監視手段に接続されているため、外部の通信端末が分配手段に接続されたとしても、監視手段に対して不正アクセスされることがない。つまり、高度で多大な費用などを要するファイアウォールなどを設けることなく、容易にセキュリティを確保することが可能となる。
【００１３】
請求項２に記載の発明によれば、接続手段を介して分配手段と公衆通信網とが接続されるため、インターネットなどの公衆通信網を通じて分配手段に接続し、映像信号を受信することができる。つまり、分配手段に直接接続しなくても障害情報を表示することができ、電力所外部などから容易に障害情報を知得することが可能となる。しかも、分配手段と接続手段とが、映像信号のみを伝送する映像伝送手段を介して接続されているため、分配手段および監視手段に対して不正アクセスされることがなく、容易にセキュリティを確保することが可能となる。
【図面の簡単な説明】
【００１４】
【図１】本発明の実施の形態１に係わる障害監視システムの概略構成図である。
【図２】本発明の実施の形態２に係わる障害監視システムの概略構成図である。
【発明を実施するための形態】
【００１５】
次に、この発明の実施の形態について、図面を用いて詳しく説明する。
【００１６】
（実施の形態１）
図１は、この実施の形態に係わる障害監視システム１を示す概略構成図である。この障害監視システム１は、電力会社の電力保安通信設備に通信障害が発生した場合に、その障害情報をモニタなどに表示するシステムであり、主として、中央監視サーバ（中央監視装置）１００に接続された統合ＮＭＳＰＣ（監視手段）２と、統合ＮＭＳＰＣ２に接続されたディスプレイ分配器（分配手段）３と、ディスプレイ分配器３に接続されたＩＰリモートアクセスユニット４とを備えている。ここで、中央監視サーバ１００は、中央通信所に設置され、通信状態を監視して通信障害に関するすべての情報を収集するサーバであり、障害監視システム１は、電力所・事業所ごとに設けられている。つまり、ひとつの中央監視サーバ１００に対して、複数の障害監視システム１が設けられている。
【００１７】
統合ＮＭＳＰＣ２は、保安用社内ＬＡＮ（通信手段）１０１を介して中央監視サーバ１００に接続され、この統合ＮＭＳＰＣ２が設けられている電力所に関する障害情報を、中央監視サーバ１００から受信するものである。ここで、保安用社内ＬＡＮ１０１は、セキュリティが確保された専用回線であり、外部からの不正アクセスができないようになっている。また、この統合ＮＭＳＰＣ２は、後述するように、障害情報を映像表示するための映像信号をディスプレイ分配器３に送信するとともに、中央監視サーバ１００から障害情報を受信する度にチャイムを鳴動させ、電力所の保守担当者などに通信障害の発生を知らせるようになっている。
【００１８】
ディスプレイ分配器３は、第１のＶＧＡケーブル（映像伝送手段）１１を介して統合ＮＭＳＰＣ２に接続され、障害情報を映像表示するための映像信号を統合ＮＭＳＰＣ２から受信・取得して、映像信号を複数に分配する機器である。具体的には、ディスプレイ分配器３の出力ポートに、第２のＶＧＡケーブル（映像伝送手段）１２を介して、ＩＰリモートアクセスユニット４と統合ＮＭＳモニタ５とが接続され、統合ＮＭＳＰＣ２から受信した映像信号をＩＰリモートアクセスユニット４と統合ＮＭＳモニタ５とに伝送する。ここで、ＶＧＡケーブル１１、１２は、映像信号のみを伝送する伝送ケーブルであり、外部からのアクセスができず、セキュリティが確保されている。また、統合ＮＭＳモニタ５は、ディスプレイ分配器３から映像信号を受信し、統合ＮＭＳＰＣ２が受信した障害情報を表示する装置であり、統合ＮＭＳＰＣ２の近くに設置されている。
【００１９】
ＩＰリモートアクセスユニット４は、インターネットプロトコルに基づいて、遠隔地の端末Ｔとディスプレイ分配器３とを接続し、ディスプレイ分配器３からの映像信号を端末Ｔに送信するものであり、これにより端末Ｔのディスプレイで障害情報を閲覧可能となっている。ここで、端末Ｔは、ＯＡ用社内ＬＡＮ１０２を介してＩＰリモートアクセスユニット４に接続され、ＩＰリモートアクセスユニット４へのアクセスは、社内で規定されたＩＤとパスワードの入力により管理され、不正なアクセスが防止されている。また、端末Ｔは、ＯＡ用社内ＬＡＮ１０２に接続・アクセス可能であれば、どこに配設されていてもよく、また、複数の端末ＴがＩＰリモートアクセスユニット４に接続、アクセスしてもよい。
【００２０】
次に、このような構成の障害監視システム１の作用などについて説明する。
【００２１】
まず、通信障害が発生すると、この障害に関連する電力所の統合ＮＭＳＰＣ２に対して、保安用社内ＬＡＮ１０１を介して、中央監視サーバ１００から障害情報が送信される。次に、障害情報を映像表示するための映像信号が、第１のＶＧＡケーブル１１を介して統合ＮＭＳＰＣ２からディスプレイ分配器３に送信される。さらに、その映像信号が第２のＶＧＡケーブル１２を介して、ディスプレイ分配器３からＩＰリモートアクセスユニット４と統合ＮＭＳモニタ５とに伝送される。
【００２２】
そして、統合ＮＭＳモニタ５では、映像信号を受けて障害情報が表示（映像表示）される。また、ＯＡ用社内ＬＡＮ１０２に接続した端末Ｔでは、所定のＩＤとパスワードを入力してＩＰリモートアクセスユニット４にアクセスすることで、映像信号を受信して障害情報が表示される。
【００２３】
ここで、表示される障害情報は、例えば、イベント・事象の発生順に、「発生日時」、障害発生や復旧などを示す「状態」、障害対象の「装置名称」などを記したリスト形式で表示される。また、現時点で中央監視サーバ１００および統合ＮＭＳＰＣ２から送信された障害情報のみが表示され、過去に送信された障害情報は表示されない。つまり、中央監視サーバ１００および統合ＮＭＳＰＣ２から送信された最新の障害情報を、そのままリアルタイムに表示するものである。
【００２４】
このような障害情報を統合ＮＭＳモニタ５や端末Ｔで知得すると、保守担当者などは、通信障害が発生した現場に対して出動要請などを行って、障害に対する対応措置を行う。これにより、通信が復旧すると、復旧した旨の障害情報が、中央監視サーバ１００から統合ＮＭＳＰＣ２に送信され、その映像信号がディスプレイ分配器３に送信されて、統合ＮＭＳモニタ５や端末Ｔに復旧情報が表示されるものである。
【００２５】
以上のように、この障害監視システム１によれば、通信の保守担当者などは、統合ＮＭＳモニタ５以外の端末Ｔからでも障害情報を閲覧でき、しかも、ＯＡ用社内ＬＡＮ１０２に接続すれば、どこでも、いつでも障害情報を閲覧することができる。この結果、深夜や休日などに通信障害が発生し、担当者などが事業所にいない場合であっても、担当者などが所望の場所で障害情報を知得することができ、迅速かつ適正な措置を行うことが可能となる。
【００２６】
また、統合ＮＭＳＰＣ２とディスプレイ分配器３および、ディスプレイ分配器３とＩＰリモートアクセスユニット４、統合ＮＭＳモニタ５は、映像信号のみを伝送するＶＧＡケーブル１１、１２で接続されている。このため、障害情報自体が端末Ｔに伝送されることがなく、また、社内ＬＡＮなどとのＩＰ通信が不可能なため、統合ＮＭＳＰＣ２に対する外部の端末からの不正アクセス・操作を防止することができる。つまり、高度で多大な費用などを要するファイアウォールなどを設けることなく、容易にセキュリティを確保することが可能となる。しかも、ＩＰリモートアクセスユニット４へのアクセスは、社内規定に基づくＩＤとパスワードが必要となるため、障害情報を閲覧する資格を有していない者が容易にアクセスすることを防止できる。
【００２７】
さらに、ディスプレイ分配器３やＩＰリモートアクセスユニット４、ＶＧＡケーブル１１などは、すべて既存の汎用品を使用可能なため、障害監視システム１を容易かつ低コストで構築することが可能となる。また、統合ＮＭＳＰＣ２から送信された映像信号に基づいて障害情報を表示するため、例えば、統合ＮＭＳモニタ５の画像をカメラで撮影して送信し、これを端末Ｔに表示する場合に比べて、解像度の高い映像を表示することが可能となる。
【００２８】
（実施の形態２）
図２は、この実施の形態に係わる障害監視システム１０を示す概略構成図である。この実施の形態が実施の形態１と異なる点は、ブロードバンドルータ（接続手段）６を備える点であり、その他の部分は実施の形態１に準じるため、準じる部分については実施の形態１と同一の符号を付すことにより、その説明を省略する。
【００２９】
ブロードバンドルータ６は、インターネットプロトコルに基づいて、ネットワーク間を相互に接続する通信機器であり、第２のＶＧＡケーブル１２を介してディスプレイ分配器３に接続されている。すなわち、上記のようにしてディスプレイ分配器３に接続されたＩＰリモートアクセスユニット４の出力側に接続され、ディスプレイ分配器３とインターネット（公衆通信網）１０３とを通信可能にするものである。
【００３０】
また、ブロードバンドルータ６は、ダイナミックＤＮＳ（Ｄｏｍａｉｎ  Ｎａｍｅ  Ｓｙｓｔｅｍ）により、接続の度にＩＰアドレス、ドメイン名を割り当てるようになっている。さらに、インターネット１０３には、ＯＡ用社内ＬＡＮ１０２が接続可能となっている。
【００３１】
このような構成によれば、電力所内のＯＡ用社内ＬＡＮ１０２に接続されている端末Ｔ１は、ブロードバンドルータ６によってＯＡ用社内ＬＡＮ１０２とＩＰリモートアクセスユニット４とが接続されることで、ディスプレイ分配器３からの映像信号を受信して、障害情報を表示、閲覧することができる。また、電力所外にあるパーソナルコンピュータＴ２や携帯端末Ｔ３は、ブロードバンドルータ６によってインターネット１０３とＩＰリモートアクセスユニット４とが接続されることで、ディスプレイ分配器３からの映像信号を受信して、障害情報を表示、閲覧することができる。
【００３２】
このように、この実施の形態２によれば、電力所の内外に係わらず、任意の場所で障害情報を閲覧することができ、通信の保守担当者などは、どこにいても、通信障害に対して迅速かつ適正な措置を行うことが可能となる。しかも、映像信号のみを伝送する第２のＶＧＡケーブル１２を介して、ブロードバンドルータ６がディスプレイ分配器３に接続されているため、外部からディスプレイ分配器３側に対して不正アクセスされることがなく、容易にセキュリティを確保することが可能となる。さらに、ブロードバンドルータ４は、ディスプレイ分配器３などと同様に、汎用品であるため、障害監視システム１０を容易かつ低コストで構築することが可能となる。
【００３３】
以上、この発明の実施の形態を詳述してきたが、具体的な構成は上記の実施の形態に限られるものではなく、この発明の要旨を逸脱しない範囲の設計の変更等があっても、この発明に含まれる。例えば、実施の形態１および２では、統合ＮＭＳＰＣ２からの映像信号をディスプレイ分配器３によって、ＩＰリモートアクセスユニット４と統合ＮＭＳモニタ５の２つに分配しているが、さらに多くの機器に分配してもよい。
【符号の説明】
【００３４】
１、１０          障害監視システム
２                統合ＮＭＳＰＣ（監視手段）
３                ディスプレイ分配器（分配手段）
４                ＩＰリモートアクセスユニット
５                統合ＮＭＳモニタ
６                ブロードバンドルータ（接続手段）
１１              第１のＶＧＡケーブル（映像伝送手段）
１２              第２のＶＧＡケーブル（映像伝送手段）
１００            中央監視サーバ（中央監視装置）
１０１            保安用社内ＬＡＮ（通信手段）
１０２            ＯＡ用社内ＬＡＮ
１０３            インターネット（公衆通信網）
Ｔ、Ｔ１          端末
Ｔ２              パーソナルコンピュータ
Ｔ３              携帯端末
【図１】
0005693880.tif 000002
【図２】
0005693880.tif 000003